(57)【要約】      （修正有）【課題】生産コストが低く、組み立てが容易で、かつ異音が抑えられた、組み立て式キャビネットを提供する。【解決手段】組み立て式キャビネットであって、枠１０、底板２０（あるいは背面板）及び少なくとも１つのストッパ３０を備え、枠は、結合されている第１基板１１、２つの側板１２及び第２基板１３を備え、底板が第１基板の第１収容溝の底部に当接した時、底板の第１基板からの延伸長さは、２つの側板の第１基板からの延伸長さよりも短い。そのため、第２基板を２つの側板と摺動可能に結合することができ、少なくとも１つのストッパにより、底板を第１基板と第２基板との間に押し付けさせる。【選択図】図１
0003230812.tif 000002
【実用新案登録請求の範囲】
【請求項１】
組み立て式キャビネットであって、枠、底板及び少なくとも１つのストッパを備え、
前記枠は、第１基板、２つの側板及び第２基板を備え、該第１基板には、該第１基板の延伸方向に沿って延びる第１収容溝と、少なくとも１つの切り欠き溝が設けられ、該少なくとも１つの切り欠き溝及び該第１収容溝は、該第１基板の同じ側から凹設形成され、該２つの側板は、該第１基板の両側に平行に結合されるとともに、該各側板には、該側板の延伸方向に沿って延びるスライド溝が凹設形成され、該第２基板は、複数の結合構造によって、該２つの側板の該第１基板から遠い側にそれぞれ摺動可能に結合され、該第２基板には、該第２基板の延伸方向に沿って延びる第２収容溝が凹設形成され、該第１収容溝、該２つのスライド溝及び該第２収容溝が同一平面上に位置し、
前記底板は、前記第１収容溝、前記２つのスライド溝及び前記第２収容溝により、前記第１基板、前記２つの側板及び前記第２基板の間に位置するように、前記枠に結合され、該底板が該第１収容溝の底部に当接した時、該底板の第１基板からの延伸長さは、該２つの側板の第１基板からの延伸長さよりも短いため、該第２基板を該２つの側板と摺動可能に結合することができ、該底板にリブが設けられ、該リブは、該底板における外に向いた側に凸設されており、
前記少なくとも１つのストッパは、前記底板のリブに当接するとともに、前記枠の第１基板の少なくとも１つの切り欠き溝に挿入されて、該底板を該第１基板から離れる側に向かって移動させ、前記第２収容溝に挿入し且つその底部に当接させる、ことを特徴とする組み立て式キャビネット。
【請求項２】
前記底板に前記２つのリブが間隔をおいて設けられ、該２つのリブの延伸方向は、前記第１基板の延伸方向と平行であり、且つ前記ストッパが該２つのリブのうちの該第１基板に近いリブに当接し、該各リブの両端がそれぞれ、前記２つの側板に当接し、さらに前記少なくとも１つのストッパは突出部を有し、該２つのリブ及び少なくとも１つのストッパの突出部が、前記枠の底面から突出している、ことを特徴とする、請求項１に記載の組み立て式キャビネット。
【請求項３】
組み立て式キャビネットであって、枠、背面板及び少なくとも１つのストッパを備え、
前記枠は、第１基板、２つの側板及び第２基板を備え、該第１基板には、該第１基板の延伸方向に沿って延びる第１収容溝と、少なくとも１つの切り欠き溝が設けられ、該少なくとも１つの切り欠き溝及び該第１収容溝は、該第１基板の同じ側から凹設形成され、該２つの側板は、該第１基板の両側に平行に結合されるとともに、該各側板には、該側板の延伸方向に沿って延びるスライド溝が凹設され、該第２基板は、複数の結合構造によって、該２つの側板の該第１基板から遠い側にそれぞれ摺動可能に結合され、該第２基板には、該第２基板の延伸方向に沿って延びる第２収容溝が凹設され、該第１収容溝、該２つのスライド溝及び該第２収容溝が同一平面上に位置し、
前記背面板は、前記第１収容溝、前記２つのスライド溝及び前記第２収容溝により、前記第１基板、前記２つの側板及び前記第２基板の間に位置するように、前記枠に結合され、該背面板が板該第１収容溝の底部に当接した時、該背面板の第１基板からの延伸長さは、該２つの側板の第１基板からの延伸長さよりも短いため、該第２基板を該２つの側板と摺動可能に結合することができ、該背面板にリブが設けられ、該リブは、該背面板における外に向いた側に凸設されており、
前記少なくとも１つのストッパは、前記背面板のリブに当接するとともに、前記枠の第１基板の少なくとも１つの切り欠き溝に挿入されて、該背面板を該第１基板から離れる側に向かって移動させ、前記第２収容溝に挿入し且つその底部に当接させる、ことを特徴とする組み立て式キャビネット。
【考案の詳細な説明】
【技術分野】
【０００１】
本考案は、家具に関するものであり、特に、組み立て時に釘やネジを必要としない組み立て式キャビネットに関するものである。
【背景技術】
【０００２】
従来の組み立て式キャビネットは、枠及び板を含み、該枠は一般的に４つの厚い側板を組み合わせて構成され、該板が該枠の片側に結合されることにより、１つの開口を有する従来の組み立て式キャビネットが形成される。尚、前記板は底板であっても背面板であってもよい。
【０００３】
ここで、従来の組み立て式キャビネットの４つの側板及び前記板の結合方法には２種類あり、１つ目は、釘又はネジにより該４つの側板及び該板を互いに結合する方法であるが、この場合、製造業者は常に、製品に関連ツールを備え付けなければならないことから、製品の部品が増え、生産及び管理のコストが高くなり、さらに、組み立ての複雑さが増すため、消費者は容易に組み立てることができない。
【０００４】
２つ目は、前記４つの側板にそれぞれスライド溝を形成するとともに、前記板を該４つのスライド溝内に設置して該４つの側板の間に位置させ、さらに、消費者が容易に組み立てられるよう、該各スライド溝の幅をいずれも該板の厚さよりもわずかに大きくして、十分な組み立てのゆとりを持たせることにより、消費者による組み立てをより容易にしている。しかしながら、これでは、消費者が従来の組み立て式キャビネットを使用する際に、該キャビネットを移動させたり、該キャビネットにぶつかったりすると、前記板が前記スライド溝内で揺れ、前記側板に衝突して音が発生してしまう。
【０００５】
以上のように、従来の組み立て式キャビネットは、生産コストが高いと共に、組み立てが容易ではなく、音が発生しやすいという問題があり、改善する必要があった。
【考案の概要】
【０００６】
従来の組み立て式キャビネットの、生産コストが高く、組み立てが容易ではなく、音が発生しやすいという問題に鑑み、本考案は、これらの問題を効果的に改善することができる組み立て式キャビネットを提供する。以下詳細に説明する。
【０００７】
本考案は、組み立て式キャビネットを提供し、該組み立て式キャビネットは、枠、底板及び少なくとも１つのストッパを備え、前記枠は、第１基板、２つの側板及び第２基板を備え、該第１基板には、該第１基板の延伸方向に沿って延びる第１収容溝と、少なくとも１つの切り欠き溝が設けられ、該少なくとも１つの切り欠き溝及び該第１収容溝は、該第１基板の同じ側から凹設形成され、該２つの側板は、該第１基板の両側に平行に結合されるとともに、該各側板には、該側板の延伸方向に沿って延びるスライド溝が凹設形成され、該第２基板は、複数の結合構造によって、該２つの側板の該第１基板から遠い側にそれぞれ摺動可能に結合され、該第２基板には、該第２基板の延伸方向に沿って延びる第２収容溝が凹設形成され、該第１収容溝、該２つのスライド溝及び該第２収容溝が同一平面上に位置し、前記底板は、前記第１収容溝、前記２つのスライド溝及び前記第２収容溝により、前記第１基板、前記２つの側板及び前記第２基板の間に位置するように、前記枠に結合され、該底板が該第１収容溝の底部に当接した時、該底板の第１基板からの延伸長さは、該２つの側板の第１基板からの延伸長さよりも短いため、該第２基板を該２つの側板と摺動可能に結合することができ、該底板にリブが設けられ、該リブは、該底板における外に向いた側に凸設されており、前記少なくとも１つのストッパは、前記底板のリブに当接するとともに、前記枠の第１基板の少なくとも１つの切り欠き溝に挿入されて、該底板を該第１基板から離れる側に向かって移動させ、前記第２収容溝に挿入し且つその底部に当接させる。
【０００８】
前記組み立て式キャビネットは、前記底板に前記２つのリブが間隔をおいて設けられ、該２つのリブの延伸方向は、前記第１基板の延伸方向と平行であり、且つ前記ストッパが該２つのリブのうちの該第１基板に近いリブに当接し、該各リブの両端がそれぞれ、前記２つの側板に当接し、さらに前記少なくとも１つのストッパは突出部を有し、該２つのリブ及び少なくとも１つのストッパの突出部が、前記枠の底面から突出している。
【０００９】
本考案は、さらに別の組み立て式キャビネットを提供し、該組み立て式キャビネットは、枠、背面板及び少なくとも１つのストッパを備え、前記枠は、第１基板、２つの側板及び第２基板を備え、該第１基板には、該第１基板の延伸方向に沿って延びる第１収容溝と、少なくとも１つの切り欠き溝が設けられ、該少なくとも１つの切り欠き溝及び該第１収容溝は、該第１基板の同じ側から凹設形成され、該２つの側板は、該第１基板の両側に平行に結合されるとともに、該各側板には、該側板の延伸方向に沿って延びるスライド溝が凹設され、該第２基板は、複数の結合構造によって、該２つの側板の該第１基板から遠い側にそれぞれ摺動可能に結合され、該第２基板には、該第２基板の延伸方向に沿って延びる第２収容溝が凹設され、該第１収容溝、該２つのスライド溝及び該第２収容溝が同一平面上に位置し、前記背面板は、前記第１収容溝、前記２つのスライド溝及び前記第２収容溝により、前記第１基板、前記２つの側板及び前記第２基板の間に位置するように、前記枠に結合され、該背面板が板該第１収容溝の底部に当接した時、該背面板の第１基板からの延伸長さは、該２つの側板の第１基板からの延伸長さよりも短いため、該第２基板を該２つの側板と摺動可能に結合することができ、該背面板にリブが設けられ、該リブは、該背面板における外に向いた側に凸設されており、前記少なくとも１つのストッパは、前記背面板のリブに当接するとともに、前記枠の第１基板の少なくとも１つの切り欠き溝に挿入されて、該背面板を該第１基板から離れる側に向かって移動させ、前記第２収容溝に挿入し且つその底部に当接させる。
【００１０】
上記の技術的特徴によって、本考案は、ほぞ接合に類似する方法により、釘又はネジで各部材を結合する必要がないことから、製造業者は、余計なコストを増やす必要がなく、また、消費者は、該組み立て式キャビネットを容易に組み立てることができ、さらに、前記少なくとも１つのストッパを介して前記底板又は背面板を前記第１基板と前記第２基板との間に当接させることにより、該底板又は背面板が揺れて他の部材と衝突し騒音を発するという問題を効果的に防止することができる。以上のように、本考案は、従来の組み立て式キャビネットの問題を効果的に改善し、それにより生産コストを低減させ、組み立てやすく、且つ音が発生する情況を効果的に減少させた組み立て式キャビネットを提供することを目的としている。
【図面の簡単な説明】
【００１１】
【図１】本考案の好ましい実施形態の外観斜視図である。
【図２】本考案の好ましい実施形態の取り扱い模式図である。
【図３】本考案の好ましい実施形態の取り扱い模式図である。
【図４】本考案の好ましい実施形態の取り扱い模式図である。
【図５】本考案の好ましい実施形態の取り扱い模式図である。
【図６】本考案の好ましい実施形態の側面視断面の取り扱い模式図である。
【図７】本考案の好ましい実施形態の側面視断面の取り扱い模式図である。
【図８】本考案の好ましい実施形態のストッパの斜視図である。
【図９】本考案の好ましい実施形態のストッパの別の斜視図である。
【考案を実施するための形態】
【００１２】
本考案の技術特徴及び実用的な効果を詳細に理解するため、また、明細書の内容に基づいて本考案を実現できるよう、図に示す好ましい実施形態について以下にて詳細に説明する。
【００１３】
本考案は組み立て式キャビネットであり、本考案の好ましい実施形態においては、該組み立て式キャビネットは横置き式キャビネットであって、図１に示すように、枠１０、底板２０及び少なくとも１つのストッパ３０を備え、組み立て時に底面を上方へ向けるため、本願の図においては、該底板２０を該組み立て式キャビネットの上側に位置するよう示している。
【００１４】
図１に示すように、前記枠１０は、第１基板１１、２つの側板１２及び第２基板１３を備える。図２に示すように、前記第１基板１１には、該第１基板１１の延伸方向に沿って延びる第１収容溝１１１と、少なくとも１つの切り欠き溝１１２が設けられ、該少なくとも１つの切り欠き溝１１２及び該第１収容溝１１１は、該第１基板１１の同じ側から凹設形成されている。なお、本考案の好ましい実施形態においては、前記少なくとも１つの切り欠き溝１１２は、円弧状を呈している。
【００１５】
図２に示すように、前記２つの側板１２は、前記第１基板１１の両側に平行に結合されるとともに、複数の結合構造１４Ａ、１４Ｂによって該第１基板１１に摺動可能に結合され、該各側板１２には、該側板１２の延伸方向に沿って延びるスライド溝１２１が凹設されている。尚、前記摺動可能な結合方法は従来技術であるため、ここでは詳述しない。
【００１６】
図４及び図６に示すように、前記第２基板１３は、前記複数の結合構造１４Ａ、１４Ｂによって、前記２つの側板１２の第１基板１１から遠い側にそれぞれ摺動可能に結合され、該第２基板１３には、該第２基板１３の延伸方向に沿って延びる第２収容溝１３１が凹設され、さらに、図６及び図７に示すように、該第２基板１３が該２つの側板１２に結合されると、前記第１収容溝１１１、前記２つのスライド溝１２１及び該第２収容溝１３１が同一平面上に位置する。
【００１７】
図１、図３及び図７に示すように、前記底板２０は、前記第１収容溝１１１、前記２つのスライド溝１２１及び前記第２収容溝１３１により、前記第１基板１１、前記２つの側板１２及び前記第２基板１３の間に位置するように、前記枠１０に結合され、その組み立て方法は以下のとおりである。つまり、前記２つの側板１２を前記第１基板１１に結合させて、該第１基板１１と該２つの側板１２によってＵ字形の構造体を形成し、、前記底板２０を、前記２つのスライド溝１２１の該第１基板１１から遠い一端から挿入し、、摺動させて該第１基板１１の第１収容溝１１１に当接する。この方法によれば、前記底板２０が前記第１収容溝１１１の底部に当接した時、図４及び図６に示すように、該底板２０の第１基板１１からの延伸長さは、前記２つの側板１２の第１基板１１からの延伸長さよりも短いため、前記第２基板１３を、該底板２０に邪魔されることなく該２つの側板１２と摺動可能に結合することができる。尚、本考案の好ましい実施形態においては、前記底板２０に２つのリブ２１が間隔をおいて設けられ、該２つのリブ２１の延伸方向は、前記第１基板１１の延伸方向と平行であり、且つそのうちの１つのリブ２１は、該第１基板１１の近くに位置する。
【００１８】
また、他の実施形態においては、前記底板２０に前記リブ２１を１つだけ設けてもよく、この場合、該リブ２１は、該底板２０における外に向いた側に凸設し、好ましくは、前記第１基板１１の近くに位置させる。
【００１９】
図５から図７に示すように、前記少なくとも１つのストッパ３０は、前記底板２０上の前記第１基板１１に近いリブ２１に当接するとともに、該第１基板１１の少なくとも１つの切り欠き溝１１２に挿入されて、該底板２０を該第１基板１１から離れる側に向かって移動させることにより、前記第２収容溝１３１に挿入し且つその底部に当接させる。これにより、前記底板２０がしっかりと当接し、揺れにより音が発生するということはなくなる。なお、本考案の好ましい実施形態においては、図５に示すように、前記第１基板１１に前記２つの切り欠き溝１１２が間隔をおいて凹設され、前記２つのストッパ３０はそれぞれ、該切り欠き溝１１２の１つに対応して挿入される。
【００２０】
図８及び図９に示すように、前記各ストッパ３０は、弧状凸部３１、把持部３２及び突出部３３を備え、該弧状凸部３１は、該ストッパ３０の片側に設けられるとともに、該弧状凸部３１の形状は、挿入される前記切り欠き溝１１２の弧状の形状と一致している。前記把持部３２は、前記ストッパ３０の中段に設けられ、両側が凹面を呈するとともに、該２つの凹面にそれぞれ、凸条３２１が突設されることから、使用者が該ストッパ３０を把持する際、該凸条３２１によって摩擦力が生まれるので、該ストッパ３０をより安定して把持できる。
【００２１】
また、他の実施形態においては、前記組み立て式キャビネットが縦置き式キャビネットであってもよく、前記枠１０、背面板及び少なくとも１つの前記ストッパ３０を備え、該背面板は、横置き式キャビネットの実施形態における前記底板２０に対応し、上記各段落で示したような特徴を有する。
【００２２】
図１及び図７に示すように、本考案の好ましい実施形態においては、前記底板２０の２つのリブ２１及び前記各ストッパ３０の突出部３３が、前記枠１０の底面から突出している、即ち、前記第１基板１１、前記２つの側板１２及び前記第２基板１３の図における上方を向いた表面から突出しており、これにより、使用者が本考案の好ましい実施形態の組み立て式キャビネットを複数購入した場合、２つの該組み立て式キャビネットを互いに重ねることにより、上記突出部分により位置決め効果がもたらされ、もう一方の組み立て式キャビネットの開口部の内面を、該２つのリブ２１、即ち該ストッパ３０の突出部３３に当接させて、位置決めを行うことができる。
【００２３】
さらに、他の実施態様においても、前記第２基板１３に、前記第１基板１１と同様に少なくとも１つの切り欠き溝１１２が形成されていてもよく、別の前記ストッパ３０が前記底板２０上の該第１基板１１から遠いリブ２１に当接するとともに、該第２基板１３の切り欠き溝１１２に挿入されることにより、両側の複数のストッパ３０がしっかりと当接するので、該底板２０がより安定するという効果が得られる。
【００２４】
上記の技術特徴によれば、本考案では、ほぞ接合と類似する方法により、釘又はネジで各部材を結合する必要がないことから、製造業者は余計なコストをかける必要がなく、また、消費者は、図２から図５に示す取り扱い方法に基づけば、該組み立て式キャビネットを容易に組み立てることができ、さらに、前記少なくとも１つのストッパ３０を介して前記底板２０又は背面板を前記第１基板１１と前記第２基板１３との間に当接させることにより、該底板２０又は背面板の揺れで他の部材と衝突して騒音を発するとの問題を効果的に防止することができる。以上のように、本考案は、従来の組み立て式キャビネットの問題を効果的に改善でき、それにより生産コストを低減させ、組み立てやすく、且つ音の発生を効果的に減少させた組み立て式キャビネットを提供するものである。
【００２５】
以上の説明は、本考案の好ましい実施形態に過ぎず、本考案に対して何ら形式上の限定を行うものではない。すべての当業者が、本考案の技術構想を逸脱しない範囲において、本考案が開示する技術内容を用いて部分的に変更又は修飾を行った実施形態で、且つ本考案の技術構想の内容を逸脱しないものは、依然としてすべて本考案の技術構想の範囲内にある。
【符号の説明】
【００２６】
１０            枠
１１            第１基板
１１１          第１収容溝
１１２          切り欠き溝
１２            側板
１２１          スライド溝
１３            第２基板
１３１          第２収容溝
１４Ａ、１４Ｂ  結合構造
２０            底板
２１            リブ
３０            ストッパ
３１            弧状凸部
３２            把持部
３２１          凸条
３３            突出部
【図１】
0003230812.tif 000003
【図２】
0003230812.tif 000004
【図３】
0003230812.tif 000005
【図４】
0003230812.tif 000006
【図５】
0003230812.tif 000007
【図６】
0003230812.tif 000008
【図７】
0003230812.tif 000009
【図８】
0003230812.tif 000010
【図９】
0003230812.tif 000011